(57)【特許請求の範囲】
【請求項１】
複数の端末からの受信信号に対して、空間多重接続を行うための無線基地局装置であって、
複数のアンテナを含むアレイアンテナと、
前記複数のアンテナからの信号を受けて所定の端末からの信号を分離して抽出するためのアダプティブアレイ処理手段と、
前記複数の端末からの信号のスワップの発生を検出するためのスワップ検出手段と、
前記スワップ検出手段により前記スワップの発生が検出されると、前記複数の端末に対して音声出力を停止させる音声停止制御信号を送信する送信制御手段とを備える、無線基地局装置。
【請求項２】
前記受信信号は、時間軸方向に複数のスロットに分割して伝送され、各スロットにおいて複数の端末に対し空間多重接続を行うことが可能であって、前記送信制御手段は、前記スワップの発生が検出されると、当該スワップの発生したスロットに空間多重接続する複数の端末に対して、前記音声停止制御信号を送信する、請求項１記載の無線基地局装置。
【請求項３】
複数の端末からの受信信号に対して、空間多重接続を行うための無線基地局装置であって、
複数のアンテナを含むアレイアンテナと、
前記複数のアンテナからの信号を受けて所定の端末からの信号を分離して抽出するためのアダプティブアレイ処理手段と、
前記複数の端末からの信号のスワップの発生を検出するためのスワップ検出手段と、
前記スワップの発生が検出されると、音声停止制御信号を送信した後に、受信信号のレベルに応じて、前記スワップの発生したスロットに空間多重接続する複数の端末に対して、他のスロットへのチャンネル切換および他の基地局への送受信対象の切換のいずれかを指示する送信制御手段とを備える、無線基地局装置。
【請求項４】
前記無線基地局装置は、所定のタイミングで前記受信信号の周波数オフセットを抽出するためのオフセット推定手段と、前記複数の端末と前記周波数オフセットとを対応付けて記憶するための記憶手段とを含み、
前記スワップ検出手段は、各前記端末と対応付けられた前記周波数オフセットの値の変化と所定のしきい値との比較結果に基づいて、前記スワップの発生を検出する、請求項１〜３いずれか１項に記載の無線基地局装置。
【発明の詳細な説明】
【０００１】
【発明の属する技術分野】
本発明は、携帯電話等の無線通信において、基地局に用いられる無線装置の構成に関する。
【０００２】
【従来の技術】
近年、急速に発達しつつある移動体通信システム（たとえばPersonal Handyphone System：以下、ＰＨＳ）では、電波の周波数利用効率を高めるために、同一周波数の同一タイムスロットを空間的に分割することにより複数ユーザの移動端末装置を無線基地システムにパス多重接続させることができるＰＤＭＡ（Path Division Multiple Access）方式が提案されている。このＰＤＭＡ方式では、各ユーザの移動端末装置からの信号は、周知のアダプティブアレイ処理により分離抽出される。なお、ＰＤＭＡ方式は、また、空間多重接続方式（ＳＤＭＡ方式（Spatial Division Multiple Access））とも呼ばれる。
【０００３】
図１１は周波数分割多重接続（Frequency Division Multiple Access：ＦＤＭＡ），時分割多重接続（Time Division Multiple Access ：ＴＤＭＡ）および空間多重分割接続（Spatial Division Multiple Access：ＳＤＭＡ）の各種の通信システムにおけるチャネルの配置図である。
【０００４】
まず、図１１を参照して、ＦＤＭＡ，ＴＤＭＡおよびＳＤＭＡについて簡単に説明する。図１１（ａ）はＦＤＭＡを示す図であって、異なる周波数ｆ１〜ｆ４の電波でユーザ１〜４のアナログ信号が周波数分割されて伝送され、各ユーザ１〜４の信号は周波数フィルタによって分離される。
【０００５】
図１１（ｂ）に示すＴＤＭＡにおいては、各ユーザのデジタル化された信号が、異なる周波数ｆ１〜ｆ４の電波で、かつ一定の時間（タイムスロット）ごとに時分割されて伝送され、各ユーザの信号は周波数フィルタと基地局および各ユーザ移動端末装置間の時間同期とにより分離される。
【０００６】
一方、最近では、携帯型電話機の普及により電波の周波数利用効率を高めるために、ＳＤＭＡ方式が提案されている。このＳＤＭＡ方式は、図１１（ｃ）に示すように、同じ周波数における１つのタイムスロットを空間的に分割して複数のユーザのデータを伝送するものである。このＳＤＭＡでは各ユーザの信号は周波数フィルタと基地局および各ユーザ移動端末装置間の時間同期とアダプティブアレイなどの相互干渉除去装置とを用いて分離される。
【０００７】
図１２は、従来のＳＤＭＡ用基地局の送受信システム２０００の構成を示す概略ブロック図である。
【０００８】
図１２に示した構成においては、送受信の指向性をつくるために、４本のアンテナ♯１〜♯４が設けられている。
【０００９】
受信動作においては、アンテナの出力は、ＲＦ回路２１０１に与えられ、ＲＦ回路２１０１において、受信アンプで増幅され、局部発振信号によって周波数変換された後、フィルタで不要な周波数信号が除去され、Ａ／Ｄ変換されて、デジタル信号としてデジタルシグナルプロセッサ２１０２に与えられる。
【００１０】
デジタルシグナルプロセッサ２１０２には、チャネル割当基準計算機２１０３と、チャネル割当装置２１０４と、アダプティブアレイ２１００とが設けられている。チャネル割当基準計算機２１０３は、２人のユーザからの信号がアダプティブアレイによって分離可能かどうかを予め計算する。その計算結果に応じて、チャネル割当装置２１０４は、周波数と時間とを選択するユーザ情報を含むチャネル割当情報をアダプティブアレイ２１００に与える。アダプティブアレイ２１００は、チャネル割当情報に基づいて、４つのアンテナ♯１〜♯４からの信号に対して、リアルタイムに重み付け演算を行なうことで、特定のユーザの信号のみを分離する。
【００１１】
［アダプティブアレイアンテナの構成］
図１３は、アダプティブアレイ２１００のうち、１人のユーザに対応する送受信部２１００ａの構成を示すブロック図である。図１３に示した例においては、複数のユーザ信号を含む入力信号から希望するユーザの信号を抽出するため、ｎ個の入力ポート２０２０−１〜２０２０−ｎが設けられている。
【００１２】
各入力ポート２０２０−１〜２０２０−ｎに入力された信号が、スイッチ回路２０１０−１〜２０１０−ｎを介して、ウエイトベクトル制御部２０１１と乗算器２０１２−１〜２０１２−ｎとに与えられる。
【００１３】
ウエイトベクトル制御部２０１１は、入力信号と予めメモリ２０１４に記憶されている特定のユーザの信号に対応したユニークワード信号と加算器２０１３の出力とを用いて、ウエイトベクトルｗ1i〜ｗniを計算する。ここで、添字ｉは、ｉ番目のユーザとの間の送受信に用いられるウエイトベクトルであることを示す。
【００１４】
乗算器２０１２−１〜２０１２ーｎは、各入力ポート２０２０−１〜２０２０−ｎからの入力信号とウエイトベクトルｗ1i〜ｗniとをそれぞれ乗算し、加算器２０１３へ与える。加算器２０１３は、乗算器２０１２−１〜２０１２−ｎの出力信号を加算して受信信号ＳRX（ｔ）として出力し、この受信信号ＳRX（ｔ）は、ウエイトベクトル制御部２０１１にも与えられる。
【００１５】
さらに、送受信部２１００ａは、アダプティブアレイ無線基地局からの出力信号ＳTX（ｔ）を受けて、ウエイトベクトル制御部２０１１により与えられるウエイトベクトルｗ1i〜ｗniとそれぞれ乗算して出力する乗算器２０１５−１〜２０１５−ｎを含む。乗算器２０１５−１〜２０１５−ｎの出力は、それぞれスイッチ回路２０１０−１〜２０１０−ｎに与えられる。つまり、スイッチ回路２０１０−１〜２０１０−ｎは、信号を受信する際は、入力ポート２０２０−１〜２０２０−ｎから与えられた信号を、信号受信部１Ｒに与え、信号を送信する際には、信号送信部１Ｔからの信号を入出力ポート２０２０−１〜２０２０−ｎに与える。
【００１６】
［アダプティブアレイの動作原理］
次に、図１３に示した送受信部２１００ａの動作原理について簡単に説明する。
【００１７】
以下では、説明を簡単にするために、アンテナ素子数を４本とし、同時に通信するユーザ数ＰＳを２人とする。このとき、各アンテナから受信部１Ｒに対して与えられる信号は、以下のような式で表わされる。
【００１８】
【数１】
0003643805.tif 000002
【００１９】
ここで、信号ＲＸj （ｔ）は、ｊ番目（ｊ＝１，２，３，４）のアンテナの受信信号を示し、信号Ｓｒｘi （ｔ）は、ｉ番目（ｉ＝１，２）のユーザが送信した信号を示す。
【００２０】
さらに、係数ｈjiは、j 番目のアンテナに受信された、i 番目のユーザからの信号の複素係数を示し、ｎj （ｔ）は、ｊ番目の受信信号に含まれる雑音を示している。
【００２１】
上の式（１）〜（４）をベクトル形式で表記すると、以下のようになる。
【００２２】
【数２】
0003643805.tif 000003
【００２３】
なお式（６）〜（８）において、［…］T は、［…］の転置を示す。
ここで、Ｘ（ｔ）は入力信号ベクトル、Ｈi はｉ番目のユーザの受信信号係数ベクトル、Ｎ（ｔ）は雑音ベクトルをそれぞれ示している。
【００２４】
アダプティブアレイアンテナは、図１３に示したように、それぞれのアンテナからの入力信号に重み係数ｗ1i〜ｗniを掛けて合成した信号を受信信号ＳRX（ｔ）として出力する。なお、ここでは、アンテナの本数ｎは４である。
【００２５】
さて、以上のような準備の下に、たとえば、１番目のユーザが送信した信号Ｓｒｘ1 （ｔ）を抽出する場合のアダプティブアレイの動作は以下のようになる。
【００２６】
アダプティブアレイ２１００の出力信号ｙ１（ｔ）は、入力信号ベクトルＸ（ｔ）とウエイトベクトルＷ1 のベクトルの掛算により、以下のような式で表わすことができる。
【００２７】
【数３】
0003643805.tif 000004
【００２８】
すなわち、ウエイトベクトルＷ1 は、ｊ番目の入力信号ＲＸj （ｔ）に掛け合わされる重み係数ｗj1（ｊ＝１，２，３，４）を要素とするベクトルである。
【００２９】
ここで式（９）のように表わされたｙ１（ｔ）に対して、式（５）により表現された入力信号ベクトルＸ（ｔ）を代入すると、以下のようになる。
【００３０】
【数４】
0003643805.tif 000005
【００３１】
ここで、アダプティブアレイ２１００が理想的に動作した場合、周知な方法により、ウエイトベクトルＷ1 は次の連立方程式を満たすようにウエイトベクトル制御部２０１１により逐次制御される。
【００３２】
【数５】
0003643805.tif 000006
【００３３】
式（１２）および式（１３）を満たすようにウエイトベクトルＷ1 が完全に制御されると、アダプティブアレイ２１００からの出力信号ｙ１（ｔ）は、結局以下の式のように表わされる。
【００３４】
【数６】
0003643805.tif 000007
【００３５】
すなわち、出力信号ｙ１（ｔ）には、２人のユーザのうちの第１番目のユーザが送信した信号Ｓｒｘ1 （ｔ）が得られることになる。
【００３６】
一方、図１３において、アダプティブアレイ２１００に対する入力信号ＳTX（ｔ）は、アダプティブアレイ２１００中の送信部１Ｔに与えられ、乗算器２０１５−１，２０１５−２，２０１５−３，…，２０１５−ｎの一方入力に与えられる。これらの乗算器の他方入力にはそれぞれ、ウエイトベクトル制御部２０１１により以上説明したようにして受信信号に基づいて算出されたウエイトベクトルｗ1i，ｗ2i，ｗ3i，…，ｗniがコピーされて印加される。
【００３７】
これらの乗算器によって重み付けされた入力信号は、対応するスイッチ２０１０−１，２０１０−２，２０１０−３，…，２０１０−ｎを介して、対応するアンテナ♯１，♯２，♯３，…，♯ｎに送られ、送信される。
【００３８】
ここで、ユーザＰＳ１，ＰＳ２の識別は以下に説明するように行なわれる。すなわち、携帯電話機の電波信号はフレーム構成をとって伝達される。携帯電話機の電波信号は、大きくは、無線基地局にとって既知の信号系列からなるプリアンブルと、無線基地局にとって未知の信号系列からなるデータ（音声など）から構成されている。
【００３９】
プリアンブルの信号系列は、当該ユーザが無線基地局にとって通話すべき所望のユーザかどうかを見分けるための情報の信号列を含んでいる。アダプティブアレイ無線基地局１のウエイトベクトル制御部２０１１は、メモリ２０１４から取出したユーザＡに対応したユニークワード信号と、受信した信号系列とを対比し、ユーザＰＳ１に対応する信号系列を含んでいると思われる信号を抽出するようにウエイトベクトル制御（重み係数の決定）を行なう。
【００４０】
【発明が解決しようとする課題】
通話の確立を行うための動作中は、基地局に対して接続要求してきた端末を特定するための情報が基地局と端末との間でやり取りされる。
【００４１】
しかしながら、たとえば、ＰＨＳのシステムなどでは、一旦、通話が確立してしまうと、上述したユニークワード信号（ＵＷ信号）中には特にユーザを特定する情報が含まれていないのが一般的であるために、基地局は通話を行っている端末を識別することは原理的にできない。これは、上述したようなＰＤＭＡ方式ばかりでなく、従来のたとえば、ＴＤＭＡ方式のＰＨＳシステムでも同様である。
【００４２】
従来のＴＤＭＡ方式のＰＨＳシステムでは、隣接する基地局間で、通話中のユーザ同士が入れ替わってしまったり、特定の基地局との間で通話中の端末との交信に他の端末からの電波が割り込んでしまったりすることがあることが知られている。このような交信の不良は、スワップ（ＳＷＡＰ）と呼ばれる。
【００４３】
さらに、上述したＰＤＭＡ方式による移動体通信システムにおいては、各移動端末装置から送信された信号が無線基地局に到来する受信タイミング（同期位置とも称する）は、端末装置の移動による端末装置−基地局の距離の変化や、電波の伝搬路特性の変動など、種々の要因により変動する。ＰＤＭＡ方式の移動体通信システムにおいて同一タイムスロットに複数のユーザの移動端末装置がパス多重接続している場合において、それぞれの移動端末装置からの受信信号の受信タイミングが上述の理由により変動して互いに近接したり、場合によっては時間的前後関係が交差したりすることがある。
【００４４】
受信タイミングが近づきすぎると、複数の移動端末装置からの受信信号同士の相関値が高くなり、アダプティブアレイ処理によるユーザごとの信号抽出の精度が劣化することになる。このため、各ユーザに対する通話特性も劣化することになる。この場合、ＰＨＳでは、上述したように、各移動端末装置からの受信信号は、各フレームごとにすべてのユーザに共通の既知のビット列からなる参照信号（ユニークワード信号）区間を含んでおり、複数ユーザの移動端末装置からの受信信号の受信タイミングが一致するようなことになれば、受信信号の参照信号区間が重なってユーザ同士を識別分離することができなくなり、ユーザ間の混信（上述したＳＷＡＰ）を引き起こすこととなる。
【００４５】
さらに、ＰＤＭＡ方式の移動体通信システムにおいて、各タイムスロットに多重接続するユーザの数、すなわちパス多重度が増大すると、各スロット内における送信タイミング間隔は必然的に狭くなっていき、その結果、受信タイミングの近接や交差が起こりうる事態となる。そのような場合には、前述のように、通話特性が劣化したり、ユーザ間の混信が発生する可能性が生じてくる。
【００４６】
図１４は、ＰＤＭＡ方式のＰＨＳシステムのスワップの一つの形態を示す概念図である。
【００４７】
図１４においては、基地局ＣＳ１との間で１つのパスを通じて通話中のユーザ１の端末ＰＳ１と、基地局ＣＳ１との間で他のパスを通じて通話中のユーザ２の端末ＰＳ２との間で交信する信号が入れ替わってしまった場合を示している。
【００４８】
また、図１５は、ＰＤＭＡ方式ののＰＨＳシステムのスワップの他の形態を示す概念図である。
【００４９】
図１５においては、基地局ＣＳ１との間で１つのパスを通じて信号ＰＳ１で通話中のユーザ１の端末ＰＳ１の交信に対して、基地局ＣＳ１との間で他のパスを通じて通話中であったユーザ２の端末ＰＳ２からの信号ＰＳ２が割り込んでしまった場合を示している。
【００５０】
以上のようなスワップが起った場合、信号ＰＳ１と信号ＰＳ２との間では、かけられているスクランブルが異なるために、本来、交信中のユーザの端末には、他の端末に対応する信号は、雑音となって聞こえることになる。
【００５１】
それゆえに、この発明の目的は、基地局との間で交信をす移動体通信端末間でのスワップの発生を検知して、良好な通信品質を維持することが可能な無線基地局装置および多重接続制御方法を提供することである。
【００５２】
【課題を解決するための手段】
このような目的を達成するために、本発明に係る無線基地局装置は、複数の端末からの受信信号に対して、空間多重接続を行うための無線基地局装置であって、
複数のアンテナを含むアレイアンテナと、
前記複数のアンテナからの信号を受けて所定の端末からの信号を分離して抽出するためのアダプティブアレイ処理手段と、
前記複数の端末からの信号のスワップの発生を検出するためのスワップ検出手段と、
前記スワップ検出手段により前記スワップの発生が検出されると、前記複数の端末に対して音声出力を停止させる音声停止制御信号を送信する送信制御手段とを備える。
【００５３】
好ましくは、前記受信信号は、時間軸方向に複数のスロットに分割して伝送され、各スロットにおいて複数の端末に対し空間多重接続を行うことが可能であって、前記送信制御手段は、前記スワップの発生が検出されると、当該スワップの発生したスロットに空間多重接続する複数の端末に対して、前記音声停止制御信号を送信する。
【００５４】
本発明に係る無線基地局装置は、複数の端末からの受信信号に対して、空間多重接続を行うための無線基地局装置であって、
複数のアンテナを含むアレイアンテナと、
前記複数のアンテナからの信号を受けて所定の端末からの信号を分離して抽出するためのアダプティブアレイ処理手段と、
前記複数の端末からの信号のスワップの発生を検出するためのスワップ検出手段と、
前記スワップの発生が検出されると、音声停止制御信号を送信した後に、受信信号のレベルに応じて、前記スワップの発生したスロットに空間多重接続する複数の端末に対して、他のスロットへのチャンネル切換および他の基地局への送受信対象の切換のいずれかを指示する送信制御手段とを備える。
【００５５】
好ましくは、前記無線基地局装置は、所定のタイミングで前記受信信号の周波数オフセットを抽出するためのオフセット推定手段と、前記複数の端末と前記周波数オフセットとを対応付けて記憶するための記憶手段とを含み、
前記スワップ検出手段は、各前記端末と対応付けられた前記周波数オフセットの値の変化と所定のしきい値との比較結果に基づいて、前記スワップの発生を検出する。
【００６０】
【発明の実施の形態】
［実施の形態１］
図１は、本発明の実施の形態１のＳＤＭＡ基地局１０００の構成を示す概略ブロック図である。
【００６１】
図１を参照して、ＳＤＭＡ基地局１０００は、複数本のアンテナ、たとえば、アンテナ♯１〜♯４で構成されるアレイアンテナへ送信信号を与え、あるいは、受信信号を受け取るための送受信部ＴＲＰ１〜ＴＲＰ４と、送受信部ＴＲＰ１〜ＴＲＰ４からの信号を受け取り、たとえば、ユーザ１に対応する信号の処理を行う信号処理部ＵＳＰ１と、送受信部ＴＲＰ１〜ＴＲＰ４からの信号を受け取り、ユーザ１に対応する信号の処理を行う信号処理部ＵＳＰ２と、信号処理部ＵＳＰ１およびＵＳＰ２からのオフセット周波数信号Δθ１およびΔθ２に基づいて、スワップの発生を検出するためのＳＷＡＰ検出部ＳＤＰと、信号処理部ＵＳＰ１およびＵＳＰ２からの信号に対して復調処理や時分割処理等を行うためのモデム部ＭＤＰおよびベースバンド部ＢＢＰと、ＳＤＭＡ基地局１０００の動作を制御するための制御部ＣＮＰとを備える。
【００６２】
送受信部ＴＲＰ１は、送信時の高周波信号処理を行うための送信部ＴＰ１と、受信時の高周波信号処理を行うための受信部ＲＰ１と、アンテナ＃１と送信部ＴＰ１と受信部ＲＰ１との接続を、送信モードまたは受信モードであるかに応じて切り替えるためのスイッチＳＷ部ＳＷ１とを含む。他の送受信部ＴＲＰ２〜ＴＲＰ４の構成も同様である。
【００６３】
なお、以上の説明では、アンテナ数は４本とし、ユーザとしては、２人であるものとしたが、より一般に、アンテナ数はＮ本（Ｎ：自然数）であり、ユーザは、アンテナ本数に応じた自由度に対応するユーザまで多重が可能である。
【００６４】
受信時には、アンテナ♯１〜♯４で受信した信号が受信部ＲＰ１〜ＲＰ４に与えられるようにスイッチＳＷ１〜ＳＷ４は切換わる。受信部ＲＰ１〜ＲＰ４に与えられる受信信号は、そこで、増幅、周波数変換などの各種のアナログ信号処理が施され、Ａ／Ｄ変換器（図示せず）によりデジタル信号に変換されて、ユーザ信号処理部ＵＳＰに与えられる。
【００６５】
ユーザ信号処理部ＵＳＰは、信号処理部ＵＳＰ１およびＵＳＰ２におけるアダプティブアレイ処理により、各ユーザの信号を分離抽出する。分離抽出された各ユーザの受信信号は、通常のモデム部ＭＤＰおよびベースバンド処理部ＢＢＰに与えられて、必要な復調処理および時分割処理が施され、元の信号に復元されて、公衆回路網ＰＣＮに供給される。
【００６６】
一方、送信時には、公衆回路網ＰＣＮから与えられた送信信号は、ベースバンド処理処理部ＢＢＰおよびモデム部ＭＤＰに与えられて必要な時分割処理および変調処理が施され、ユーザ信号処理部ＵＳＰに与えられる。
【００６７】
ユーザ信号処理部ＵＳＰにおいては、後述するように、必要に応じて下り送信指向性が制御され、送信部ＴＰ１〜ＴＰ４のＤ／Ａ変換器（図示せず）でアナログ信号に変換される。
【００６８】
アナログ信号に変換された送信信号は、送信部ＴＰ１〜ＴＰ４で、さらに、増幅、周波数変換など、無線送信に必要な各種のアナログ信号処理が施される。
【００６９】
送信時には、スイッチＳＷ１〜ＳＷ４は、送信部ＴＰ１〜ＴＰ４とアンテナ♯１〜♯４とを接続するように切換わり、送信部ＴＰ１〜ＴＰ４で無線信号処理された送信信号は、アンテナ♯１〜♯４から送信される。
【００７０】
ＳＤＭＡ基地局１０００は、さらに、後に説明するように、スワップ検出のために端末を一意に識別するためのデータＰＳ−ＩＤとこの端末の周波数オフセットとの対応関係を記録するための記憶部６と、スワップ検出部ＳＤＰからスワップ検出の通知を受けた後、スワップの検出されたスロット内の端末のすべてに対して、ミュート状態（出力音声が無音の状態）を指示する所定の時間をカウントするためのタイマー部８とを備える。
【００７１】
以下では、ＳＤＭＡ基地局１０００は、上述したＰＨＳシステムの基地局であるものとして、説明を行う。
【００７２】
ＰＨＳの通信方式としては、送信受信のためのそれぞれ４スロット（１スロット：６２５μｓ）からなる１フレーム（５ｍｓ）を基本単位としたＴＤＭＡ方式が採用されている。このフレームの構成は、ＳＤＭＡ方式でも同様である。このようなＰＨＳの通信方式は、たとえば、「第２世代コードレス通話システム」として標準化がなされている。
【００７３】
図２は、本発明において、端末とＳＤＭＡ基地局１０００との間で授受される信号の構成を説明するための概念図である。
【００７４】
１フレームの信号は８スロットに分割され、前半の４スロットがたとえば受信用であり後半の４スロットがたとえば送信用である。
【００７５】
各スロットは１２０シンボルから構成され、図２に示した例では、たとえば、１フレームの信号は、１つの受信用および１つの送信用のスロットを１組として３組のスロットが３ユーザに対する通話チャネルに、残りの１組のスロットが制御チャネルにそれぞれ割当てられている。
【００７６】
また、各フレームについては、上述したユニークワード信号（参照信号）区間を含み、巡回符号による誤り検出（ＣＲＣ：cyclic redundancy check）が可能な構成となっているものとする。
【００７７】
さらに、同一タイムスロットに複数のユーザの移動端末装置がパス多重接続している場合において、それぞれの移動端末装置からの受信信号の受信タイミングをずらすことで各ユーザを識別するために、基地局１０００から各端末に対しての送信タイミングが、基準となる送信タイミングからずらされているものとする。
【００７８】
ＰＨＳシステムでは、同期確立の制御手順の際に、まず、制御チャネルによるリンクチャネルの確立が行われた後に、干渉波（Ｕ波：Undesired wave）測定処理を行ない、さらに割り当てられたチャネルにより通話条件の設定処理を行った後に通話が開始される。このような手順については、ＰＨＳの規格である第２世代コードレス通話システム標準規格ＲＣＲ  ＳＴＤ−２８（発行：（社団法人）電波産業界）に詳しく開示されている。
【００７９】
図３は、このような通話シーケンスフローを示す図である。以下、図３を参照して、簡単にその説明を行なう。
【００８０】
まずＰＨＳ端末からＣチャネル（コントロールチャネル：ＣＣＨ）を用いてリンクチャネル確立要求信号（ＬＣＨ確立要求信号）を基地局に対し送信する。ＰＨＳ基地局は、空きチャネル（空き通話チャネル：空きＴチャネル）を検出し（キャリアセンス）、Ｃチャネルを用いて空きＴチャネルを指定するリンクチャネル割当信号（ＬＣＨ割当信号）をＰＨＳ端末側に送信する。
【００８１】
ＰＨＳ端末側では、ＰＨＳ基地局から受信したリンクチャネル情報に基づき、指定されたＴチャネルに、ある一定以上のパワーの干渉波信号が受信されていないか測定（Ｕ波測定）し、一定のパワー以上の干渉波信号が検出されない場合、すなわち、他のＰＨＳ基地局がこの指定されたＴチャネルを使用していない場合には、指定されたＴチャネルを用いて同期バースト信号を基地局に送信し、基地局からも同期バースト信号を端末側に返信して同期確立を完了する。
【００８２】
一方、指定されたＴチャネルに、ある一定以上のパワーの干渉波信号が検出されていた場合、すなわち他のＰＨＳ基地局により使用中の場合には、ＰＨＳ端末は再度リンクチャネル確立要求信号から制御手順を繰返すことになる。
【００８３】
このようにして、ＰＨＳシステムにおいては、干渉波が小さく良好な通信特性が得られるチャネルを用いて、端末と基地局との間で通信チャネルの接続が行なわれている。
【００８４】
同期バーストにより、基地局と端末との間の同期が確立すると、制御信号用のスロットによる制御チャネル（Fast Associated Control Channel : FACCH）や、後に説明するように各スロットに含まれる信号による制御チャネル（Slow Associated Control Channel : SACCH）を通じて、通話条件の設定が基地局と端末との間で行われる。ここで、「通話条件の設定」とは、「呼の設定」や通話チャネルの「機能の設定」や、スクランブル用の「秘匿鍵」の設定や、「端末の認証」などの手続きを行うことを意味する。
【００８５】
このような「通話条件の設定」の後に、基地局と端末との間で、割り当てられたチャンネルを介して、通話のための通信が行われる。
【００８６】
図４は、図２に示した送受信信号の構成をより詳しく説明するための概念図である。
【００８７】
図４を参照して、１フレーム（５ｍｓｅｃ）の間に、上述したとおり、受信用の４スロットと、それに後続する送信用の４スロットが含まれている。
【００８８】
１スロットは、１２０シンボル（２４０ビット）の信号からなる。この１スロットは、その先頭部分は既知の信号列を含み、それに続いて、音声などのデータ信号を含んでいる。
【００８９】
まず、基地局から端末に対して送られる「下り同期バースト」について説明する。
【００９０】
下り同期バーストの「既知の信号列」としては、その先頭に存在する、信号が立上る（あるいは立下がる）ため時間に対応するランプビットＲに続いて、有意なデータの始まりを示すスタートシンボルＳＳや、端末が同期をとるために使用するプリアンブル信号ＰＲや、アダプティブアレイ処理を行なうにあたり、参照信号として用いられるユニークワードＵＷや、チャネル種別を表わす信号ＣＩ等が含まれている。
【００９１】
次に、下り同期バーストの「データ信号」としては、上記信号ＣＩの後ろに、基地局を識別するためのデータＣＳ−ＩＤと、端末を一意に識別するためのデータＰＳ−ＩＤとが含まれる。これらデータ信号に続いて、誤り検出符号ＣＲＣが設けられる。
【００９２】
次に、基地局から端末に対して送られる「下りＦＡＣＣＨ」について説明する。
【００９３】
下りＦＡＣＣＨの「既知の信号列」としても、その先頭に存在する、ランプビットＲに続いて、スタートシンボルＳＳや、プリアンブル信号ＰＲや、ユニークワードＵＷや、チャネル種別を表わす信号ＣＩ等が含まれている。
【００９４】
次に、下りＦＡＣＣＨの「データ信号」としては、上記信号ＣＩの後ろに、上述したＳＡＣＣＨ信号ＳＡと、制御情報としてのＦＡＣＣＨ信号とが含まれる。これらデータ信号に続いて、やはり、誤り検出符号ＣＲＣが設けられる。
【００９５】
最後に、基地局から端末に対して送られる通話情報を伝達するための「下りＴチャネル（ＴＣＨ）」について説明する。
【００９６】
下りＴＣＨの「既知の信号列」の構成は、下りＦＡＣＣＨと同様である。さらに、下りＴＣＨの「データ信号」としては、下りＦＡＣＣＨと同様に、上記信号ＣＩの後ろに、上述したＳＡＣＣＨ信号ＳＡが含まれ、ＦＡＣＣＨ信号の代わりに通話情報Ｉが含まれる。これらデータ信号に続いて、やはり、誤り検出符号ＣＲＣが設けられる。
【００９７】
したがって、下りＦＡＣＣＨと下りＴＣＨとは、データ信号として、ＦＡＣＣＨ情報が含まれるか、あるいは通話情報Ｉが含まれるかが相違するものの、その他の構成は基本的に同様である。
【００９８】
また、以上の説明では、下り信号について説明したが、ＳＤＭＡ基地局１０００が受信する上りの信号も基本的には同様の構成を有する。
【００９９】
［周波数オフセットの検出の構成］
まず、本発明に係るＳＤＭＡ基地局１０００の動作を説明する前提として、スワップ検出部ＳＤＰの構成および動作について説明する。
【０１００】
携帯電話等において送受信に用いられる変調方式としては、一般にＰＳＫ変調を基調とする変調方式のＱＰＳＫ変調等が用いられる。
【０１０１】
ＰＳＫ変調では、搬送波に同期した信号を受信信号に積算することによる検波を行なう同期検波が一般に行なわれる。
【０１０２】
同期検波においては、変調波中心周波数に同期した複素共役搬送波を局部発振器により生成する。しかし、同期検波を行なう場合、通常、送信側と受信側の発振器には周波数オフセットと呼ばれる周波数誤差が存在する。この誤差によって、受信機側においては、受信信号をＩＱ平面上に表わした場合、受信信号点の位置が回転してしまう。このため、周波数オフセットを補償しなければ同期検波を行なうことが困難である。
【０１０３】
このような周波数オフセットは、上述したような送受信期間の局部発振周波数の精度のみならず、設定誤差、温度変動、経時変化等により発生し、受信機に入力される信号にキャリア周波数成分が残留することにより、受信特性が急激に劣化してしまうという問題が生じる。
【０１０４】
このようなキャリア（搬送波）周波数オフセットを検出して補償することが必要となる。本発明においては、以下に説明するように、この検出された周波数オフセットの値を用いてスワップの発生を検出する。
【０１０５】
すなわち、ＳＤＭＡ基地局１０００は、リンク確立時に、端末からの同期バーストを受信すると、この同期バースト中に含まれる端末を特定するためのデータＰＳ−ＩＤと、その端末の周波数オフセットの値とを対応付けて、記憶部６に記録する。端末の発振周波数と基地局の発振周波数のずれである周波数オフセットの値は、短時間で見るとその変動は小さく、端末固有の値とみなすことができる。
【０１０６】
通話中も、ＳＤＭＡ基地局１０００は、端末からの信号を受信するたびに周波数オフセットを計算する。
【０１０７】
ＳＤＭＡ基地局１０００は、当該スロットに受信エラーがなく、かつ、そのスロットにおける周波数オフセットの値が、記憶している周波数オフセットの値と比較して所定のしきい値以内であれば、通話中の端末からの信号であるとみなして、記憶している当該端末についての周波数オフセットの値を更新する。一方、ＳＤＭＡ基地局１０００のスワップ検出部ＳＤＰは、受信エラーがあり、かつ周波数オフセットの値が所定のしきい値を超えて変動していれば、スワップが発生しているものと判定する。
【０１０８】
以下、さらに詳しく説明する。
図５は、図１に示したユーザ１信号処理部ＵＳＰ１の構成を示す概略ブロック図である。なお、ユーザ２信号処理部ＵＳＰ２も同様の構成を有する。
【０１０９】
なお、図１に示したユーザ信号処理部ＵＳＰおよび制御部ＣＮＰの処理は、実際には、デジタルシグナルプロセッサ（ＤＳＰ）を用いてソフトウェアで実現される。
【０１１０】
図５を参照して、ユーザ１信号処理部ＵＳＰ１は、アンテナ♯１〜♯４からの信号が受信部ＲＰ１〜ＲＰ４においてデジタル信号に変換された受信信号ベクトルＸ（ｔ）をそれぞれ受けて、ウェイトベクトルＷ（ｔ）の要素と各々乗算するための乗算器１２−１〜１２−４と、乗算器１２−１〜１２−４の出力を受けて加算し受信信号ｙ（ｔ）として出力する加算器１４と、加算器１４の出力を受けて、受信信号が１スロットの信号のうち参照信号が存在する区間を受信中であるか参照信号がない区間（データ部）を受信中であるか否かを検出する判定部４０と、１スロットの信号中に含まれるシンボル（たとえば１２０シンボル）のうちプリアンブルに含まれる参照信号を予め保持し信号ｄ（ｔ）として出力するメモリ３０と、メモリ３０からの出力と、信号ｙ（ｔ）とを受けて、判定部４０に制御されて、周波数オフセットΔθを検出するための周波数オフセット推定部１６と、受信信号ベクトルＸ（ｔ）と周波数オフセット推定部１６からの出力とを受けて、周知のアダプティブアレイ処理により、ウェイトベクトルＷ（ｔ）を算出するためのウェイト計算部１０とを備える。
【０１１１】
ここで、受信信号ベクトルＸ（ｔ）は４本のアンテナのそれぞれからの信号を要素とするベクトルである。
【０１１２】
加算器１４による複素乗算和の結果であるアレイ出力信号ｙ（ｔ）は、復調部４２によって、ビットデータへの復調およびエラー判定がなされた後、分離抽出されたユーザ１からの受信信号として、モデム部ＭＤＰに供給される。
【０１１３】
同様に、ユーザ２信号処理部ＵＳＰ２からは、分離抽出されたユーザ２からの受信信号がモデム部ＭＤＰに供給される。
【０１１４】
受信ウェイトベクトル計算部１０では、ＲＬＳ（Recursive Least Squares）アルゴリズムやＳＭＩ（Sample Matrix Inversion）アルゴリズムのようなアダプティブアレイアルゴリズムを使用している。
【０１１５】
このようなＲＬＳアルゴリズムやＳＭＩアルゴリズムは、アダプティブアレイ処理の分野では周知の技術であり、文献１：菊間信良著の「アレーアンテナによる適応信号処理」（科学技術出版）の第３５頁〜第４９頁の「第３章  ＭＭＳＥアダプティブアレー」に詳細に説明されているので、ここではその説明を省略する。
【０１１６】
一方、図１のモデム部ＭＤＰからの送信信号が、送信信号変調部４４によって変調され、乗算器１５−１〜１５−４のそれぞれの一方入力端子に与えられ、乗算器１５−１〜１５−４のそれぞれの他方入力端子には、通常の空間多重接続による通信中においては、受信ウェイトベクトル計算部１０で計算された受信ウェイトベクトルが、基本的には送信ウェイトベクトル計算部１７でコピーされて、送信ウェイトベクトルとして印加される。
【０１１７】
したがって、受信時と同じアンテナ＃１〜＃４を介して送信される信号には、受信信号と同様に特定の端末をターゲットとするウェイトベクトルによる重み付けがされているため、これらのアンテナから送信された電波信号は、原則として、この特定の端末をターゲットとする送信指向性をもって送出されることになる。
【０１１８】
ただし、この送信ウェイトベクトル計算部１７から出力される送信ウェイトベクトルの値は、スワップ検出部ＳＤＰの検出結果に応じて送信指向性制御装置１８の制御により変更される。すなわち、送信指向性制御装置１８は、制御部ＣＮＰの制御を受けて、スワップが検出された場合に、後に説明するように、各端末へのチャネルの切替やハンドオーバーを指示するための制御信号を送出する際に送信指向性を変更するための処理を行う。
【０１１９】
図６は、図５に示した周波数オフセット推定部１６の構成を説明するための概略ブロック図である。
【０１２０】
図６を参照して、周波数オフセット推定部１６は、加算器１４の出力ｙ（ｔ）を判定部４０を介して受けて、信号ｙ（ｔ）の位相をＩＱ平面上の所定の位相点に強制的に同期させるための強制位相同期処理部２０を含む。
【０１２１】
ここで、たとえば、信号ｙ（ｔ）は複数の端末のうち所望の端末からの信号を抽出した信号であり、たとえば、ＱＰＳＫ変調された信号であるものとする。したがって、強制位相同期処理部２０は、ＱＰＳＫ変調された信号のＩＱ平面上の所定の位相に対応する信号点に強制的に同期させる処理を行なうことになる。
【０１２２】
以下では、強制位相同期処理部２０から出力される信号をレプリカ信号ｄ′（ｔ）と呼ぶことにする。
【０１２３】
周波数オフセット推定部１６は、さらに、強制位相同期処理部からのレプリカ信号ｄ′（ｔ）とメモリ３０からの参照信号ｄ（ｔ）とを受けて、判定部４０により制御されて、いずれか一方を出力するスイッチ回路５０と、スイッチ回路５０からの出力と加算器１４からの出力の符号を反転させた上で加算するための加算器７０とを備える。受信ウェイトベクトル計算部１０は、加算器７０からの出力を受けて、周知のアダプティブアレイ処理により、ウェイトベクトルＷ（ｔ）を算出する。
【０１２４】
周波数オフセット推定部１６は、さらに、加算器７０から出力される誤差信号ｅ（ｔ）の符号を反転させた信号と、スイッチ回路５０から出力される参照信号ｄ（ｔ）またはレプリカ信号ｄ′（ｔ）とを加算する加算器８０と、スイッチ回路５０からの出力を受けて複素共役の信号ｄ*（ｔ）複素共役処理部６０と、複素共役処理部６０の出力と加算器８０の出力とを乗算するための乗算器９０と、乗算器９０の出力を受けてその虚数部を抽出することで、周波数オフセットΔθ１を抽出するオフセット抽出部１００とを備える。
【０１２５】
以上のような構成により、アレイアンテナにより受信した信号から周波数オフセットを推定することが可能となる。
【０１２６】
［スワップ発生検出の構成］
（周波数オフセット値によるスワップ発生の検出）
この周波数オフセット値は、各端末の発信器に特有の値を持つので、通常であれば周波数オフセットの推定値が短時間に大きく変動することはない。しかしながら、ユーザの端末間でスワップが生じた場合には、周波数オフセットの推定値の入れ替わり、もしくは、急変が起ることになる。したがって、ＳＷＡＰ検出部ＳＤＰは、この周波数オフセット値を受信ごとにモニタすることにより、この値の変化が所定のしきい値を超えたかどうかにより、スワップの発生を検出することが可能となる。
【０１２７】
（エラー分布によるスワップの検出）
図２において説明したとおり、同一タイムスロットに複数のユーザの移動端末装置がパス多重接続している場合において、各ユーザを識別するために、それぞれの移動端末装置からの受信信号の受信タイミングは、正常な受信中ではたとえば、時間Δｔだけずれている。
【０１２８】
図７は、このような信号ＰＳ１と信号ＰＳ２の受信タイミングを示す概念図である。
【０１２９】
図７に示すように、たとえば、ユーザの割り込みによるスワップが発生すると、端末ＰＳ２は、端末ＰＳ１向けの信号を自分への信号と誤認してしまうために、端末ＰＳ２は、端末ＰＳ１が送信するべきタイミングで上り信号を送出することになる。このため、端末ＰＳ１からの受信信号と端末ＰＳ２からの受信信号に、受信タイミングのずれがなくなってしまう。
【０１３０】
このようなスワップの発生した状態では、ＳＤＭＡ基地局１０００からみると割り込んだユーザＰＳ２がいなくなったように見えるために、ユーザＰＳ２については、参照信号エラー（ＵＷエラー）が発生する。
【０１３１】
一方、割り込まれたユーザＰＳ１の方では、ユニークワード信号は信号ＰＳ１と信号ＰＳ２で一致するために、ＵＷエラーは発生しないものの、情報データ（音声信号等）については、信号ＰＳ１と信号ＰＳ２とが互いに異なるために、ユーザＰＳ１の信号について受信エラー（ＣＲＣエラー）が頻発するようになる。
【０１３２】
したがって、ユーザ２人が空間多重により通信している場合に、一方のユーザについては、ＵＷエラーが発生し、他方のユーザについては、ＣＲＣエラーが発生しているならば、上述したオフセット周波数の値の変化と併せて、スワップが発生したものと判定できる。
【０１３３】
上述した例では、たとえば、ユーザＰＳ２については、ＵＷエラーは１００％発生することになり、ユーザＰＳ１については、ＣＲＣエラーが５０％の頻度で発生するというような事態が発生しうる。このような事態は、正常な送受信が行われている限り、発生し得ないものである。
【０１３４】
［スワップ検出後の基地局１０００の動作］
図８は、図１に示したＳＤＭＡ基地局１０００がスワップを検出した場合の動作を説明するためのフローチャートである。
【０１３５】
ＳＤＭＡ基地局１０００は、スワップが検出されると（ステップＳ１００）、そのスワップの検出されたスロットで接続するユーザの端末に対して、通話情報の代わりに特に意味を持たないＦＡＣＣＨ信号の送出を行う。端末の側では、受信した信号がＦＡＣＣＨ信号であることを検知すると、その間は、通話情報が送信されてきていないものとして、ミュート状態（無音状態）となる（ステップＳ１０２）。ＳＤＭＡ基地局１０００では、スワップ検出後、タイマー部８が、スワップ検出からの経過時間をカウントしている。
【０１３６】
続いて、スワップ状態から復帰しているかの判定を行う（ステップＳ１０３）。スワップが発生している状態は、通信システムとしては、不安定な状態であるために、所定時間内にスワップが解消し、もとの状態に復帰している可能性がある。したがって、スワップ状態から復帰していれば、タイマ部８をオフ状態として（ステップＳ１０４）、処理は終了する（ステップＳ１１２）。
【０１３７】
一方、ステップＳ１０３においてスワップ状態から復帰していない場合、さらに、タイマ部８のカウントが所定時間に達していなければ（ステップＳ１０５）、処理はステップＳ１０２に復帰する。
【０１３８】
一方、ステップＳ１０５において、所定の時間が経過したと判断されると、続いて、当該スロットにおいて受信レベルが規定の値よりも小さいか否かの判定が行われる（ステップＳ１０６）。
【０１３９】
ステップＳ１０６において、受信レベルが規定の値以上であると判断されると、スワップの発生している端末は、両方とも、基地局１０００から遠い位置ではないと推定されるので、基地局１０００と当該スロットで交信中の全ての端末に対して、他のスロットに通信チャネル（ＴＣＨ）の切替を行うように指示する（ステップＳ１０８）。このようにすれば、当該スロットで交信していた全ての端末が他のスロットで改めて通信を始めるので、スワップにより、各端末に発生していた雑音が鳴り止むことになる。これにより、スワップへの対処が終了する（ステップＳ１１２）。
【０１４０】
一方、ステップＳ１０６において、受信レベルが規定値よりも小さいと判断されると、スワップの発生している端末は、両方とも、基地局１０００から遠い位置にあると推定されるので、基地局１０００と当該スロットで交信中の全ての端末に対して、他の基地局にハンドオーバーするように指示する（ステップＳ１１０）。このようにすれば、当該スロットで交信していた全ての端末が他の基地局を介して通信を始めるので、スワップにより、各端末に発生していた雑音が鳴り止むことになる。これにより、スワップへの対処が終了する（ステップＳ１１２）。
【０１４１】
以上説明したような構成によりスワップを検出し、スワップの発生したスロットで接続する端末に対してスワップへの対処処理を行うことで、端末において、スワップによる不快な雑音の発生を抑制することが可能となる。
【０１４２】
ここで、ステップＳ１０８においてチャネル切替の指示を制御チャネルにより送出する場合や、ステップＳ１１０においてハンドオーバーの指示を制御チャネルにより送出する場合には、「オムニ送信」を用いる。
【０１４３】
以下、「オムニ送信」について簡単に説明する。
図９は、通常の空間多重接続による通信中において、基地局１０００から端末ＰＳ１およびＰＳ２へ送出される送信信号の指向性を示す概念図である。
【０１４４】
図１０は、オムニ送信による通信において、基地局１０００から端末ＰＳ１およびＰＳ２へ送出される送信信号の指向性を示す概念図である。
【０１４５】
図９に示すとおり、空間多重接続による通信中においては、所望のユーザの端末に対して指向性を有し、他のユーザに対してはヌル方向となるように指向性が制御される。
【０１４６】
これに対して、オムニ送信では、図１０に示すとおり、各ユーザの端末の対しても特に指向性を有さない無指向性の電波が送出される。これにより、スワップが発生している場合でも、当該スロットで接続するすべてのユーザに対して、通話チャネルの切替やハンドオーバーの指示を送信することができる。
【０１４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１４８】
【発明の効果】
以上説明したとおり、本願発明によれば、基地局においてスワップの発生を検出できるので、端末において、スワップによる不快な雑音の発生を抑制することが可能となる。
【図面の簡単な説明】
【図１】  実施の形態１のＳＤＭＡ基地局１０００の構成を示す概略ブロック図である。
【図２】  端末とＳＤＭＡ基地局１０００との間で授受される信号の構成を説明するための概念図である。
【図３】  通話シーケンスフローを示す図である。
【図４】  図２に示した送受信信号の構成をより詳しく説明するための概念図である。
【図５】  ユーザ１信号処理部ＵＳＰ１の構成を示す概略ブロック図である。
【図６】  周波数オフセット推定部１６の構成を説明するための概略ブロック図である。
【図７】  信号ＰＳ１と信号ＰＳ２の受信タイミングを示す概念図である。
【図８】  ＳＤＭＡ基地局１０００の動作を説明するためのフローチャートである。
【図９】  通常の空間多重接続による通信中において、基地局１０００から端末ＰＳ１およびＰＳ２へ送出される送信信号の指向性を示す概念図である。
【図１０】  オムニ送信による通信において、基地局１０００から端末ＰＳ１およびＰＳ２へ送出される送信信号の指向性を示す概念図である。
【図１１】  周波数分割多重接続，時分割多重接続および空間多重分割接続の各種の通信システムにおけるチャネルの配置図である。
【図１２】  ＳＤＭＡ用基地局の送受信システム２０００の構成を示す概略ブロック図である。
【図１３】  アダプティブアレイ２１００のうち、１人のユーザに対応する送受信部２１００ａの構成を示すブロック図である。
【図１４】  ＰＤＭＡ方式のＰＨＳシステムのスワップの一つの形態を示す概念図である。
【図１５】  ＰＤＭＡ方式のＰＨＳシステムのスワップの他の形態を示す概念図である。
【符号の説明】
♯１〜♯４  アレイアンテナ、６  記憶部、８  タイマー部、１０  受信ウェイトベクトル計算部、１２−１〜１２−４  乗算器、１４  加算器、１７  送信ウェイトベクトル計算部、１８  送信指向性制御部、２０  強制位相同期処理部、３０  メモリ、４０  判定部、４２  復調部、４４  変調部、５０  スイッチ回路、６０  複素共役処理部、７０，８０  加算器、９０  乗算器、１００  周波数オフセット推定部、１０００  ＳＤＭＡ基地局、ＵＳＰ  ユーザ信号処理部、ＳＤＰ  スワップ検出部、ＣＮＰ  制御部、ＭＤＰ  モデム部、ＢＢＰ  ベースバンド部。
【図１】
0003643805.tif 000008
【図２】
0003643805.tif 000009
【図３】
0003643805.tif 000010
【図４】
0003643805.tif 000011
【図５】
0003643805.tif 000012
【図６】
0003643805.tif 000013
【図７】
0003643805.tif 000014
【図８】
0003643805.tif 000015
【図９】
0003643805.tif 000016
【図１０】
0003643805.tif 000017
【図１１】
0003643805.tif 000018
【図１２】
0003643805.tif 000019
【図１３】
0003643805.tif 000020
【図１４】
0003643805.tif 000021
【図１５】
0003643805.tif 000022